【事件の表示】
　特願２０１２−　１３３９５「保護機能付き充電制御装置および電池パック」拒絶査定不服審判事件〔平成２５年　８月　８日出願公開、特開２０１３−１５３６１４、請求項の数（５）〕について、次のとおり審決する。
【結　論】
　原査定を取り消す。
　本願の発明は、特許すべきものとする。
【理　由】
第１　手続の経緯
　本願は、平成２４年１月２５日の出願であって、平成２４年４月３日付けで手続補正がされ、平成２７年１０月２８日付けで拒絶理由通知がされ、平成２７年１２月１８日付けで手続補正がされ、平成２８年５月１３日付けで拒絶査定（以下、「原査定」という。）がされ、これに対し、平成２８年７月１９日に拒絶査定不服審判の請求がされると同時に手続補正がされたものである。
第２　原査定の概要
　原査定（平成２８年５月１３日付け拒絶査定）の概要は次のとおりである。
　本願請求項１−５に係る発明は、以下の引用文献１−５に基づいて、その発明の属する技術の分野における通常の知識を有する者（以下、「当業者」という。）が容易に発明できたものであるから、特許法第２９条第２項の規定により特許を受けることができない。
引用文献等一覧
　１.特開２００５−１９２３８３号公報
　２.特開２０００−０９２７３５号公報
　３.特開２００７−０９７２４２号公報
　４.特開２００８−０１７５４２号公報
　５.特開２００４−２９６１６５号公報
第３　本願発明
　本願請求項１−５に係る発明（以下、それぞれ「本願発明１」−「本願発明５」という。）は、平成２８年７月１９日付けの手続補正で補正された特許請求の範囲の請求項１−５に記載された事項により特定される発明であり、本願発明１−２はそれぞれ以下のとおりの発明である。
「【請求項１】
　二次電池へ充電電流を流すための充電用トランジスタと、
　充電用電源が接続されている場合に前記充電用トランジスタが充電電流を流すように制御する充電制御回路と、
　前記二次電池の一方の端子と外部端子との間に直列形態に接続された第１制御用スイッチ素子および第２制御用スイッチ素子と、
　前記二次電池が過放電状態となった場合に前記第１制御用スイッチ素子をオフさせて放電電流が流れないようにし、前記二次電池が過充電状態となった場合に前記第２制御用スイッチ素子をオフさせて充電電流が流れ込まないようにする保護回路と、
を備えた充電制御装置であって、
　前記充電制御回路は、前記二次電池側の電圧が所定値になるまでは前記充電用トランジスタにより一定の充電電流を流すように制御し、前記二次電池側の電圧が所定値に達した後は定電圧で充電電流を流すように制御を切り替える機能を有し、前記二次電池の正極側の端子電圧および負極側の端子電圧と同一の電位がそれぞれ前記充電制御回路に供給され、
　前記充電制御回路には基準電圧生成回路が設けられ、前記充電制御回路と前記保護回路との間には前記基準電圧生成回路により生成された基準電圧を、前記保護回路へ伝達する配線が設けられ、
　前記保護回路は、前記配線を介して伝達された基準電圧と前記二次電池の端子電圧とに基づいて過充電状態の検出を行い、
　前記充電制御回路は、前記基準電圧生成回路により生成された基準電圧と前記二次電池の端子電圧とに基づいて定電流充電制御から定電圧充電制御への切替えタイミングの検出を行うように構成されていることを特徴とする保護機能付き充電制御装置。」
「【請求項２】
　二次電池へ充電電流を流すための充電用トランジスタと、
　充電用電源が接続されている場合に前記充電用トランジスタが充電電流を流すように制御する充電制御回路と、
　前記二次電池の一方の端子と外部端子との間に直列形態に接続された第１制御用スイッチ素子および第２制御用スイッチ素子と、
　前記二次電池が過放電状態となった場合に前記第１制御用スイッチ素子をオフさせて放電電流が流れないようにし、前記二次電池が過充電状態となった場合に前記第２制御用スイッチ素子をオフさせて充電電流が流れ込まないようにする保護回路と、
を備えた充電制御装置であって、
　前記充電制御回路は、前記二次電池側の電圧が所定値になるまでは前記充電用トランジスタにより一定の充電電流を流すように制御し、前記二次電池側の電圧が所定値に達した後は定電圧で充電電流を流すように制御を切り替える機能を有し、前記二次電池の正極側の端子電圧および負極側の端子電圧と同一の電位がそれぞれ前記充電制御回路に供給され、
　前記保護回路には基準電圧生成回路が設けられ、前記保護回路と前記充電制御回路との間には前記基準電圧生成回路により生成された基準電圧を、前記充電制御回路へ伝達する配線が設けられ、
　前記保護回路は、前記基準電圧生成回路により生成された基準電圧と前記二次電池の端子電圧とに基づいて過充電状態の検出を行い、
　前記充電制御回路は、前記配線を介して伝達された基準電圧と前記二次電池の端子電圧とに基づいて定電流充電制御から定電圧充電制御への切替えタイミングの検出を行うように構成されていることを特徴とする保護機能付き充電制御装置。」
　本願発明３−５は、本願発明１または本願発明２を減縮した発明である。
第４　引用文献、引用発明等
１．引用文献１について
　原査定の拒絶の理由に引用された引用文献１には、図面とともに次の事項が記載されている。（下線は当審で付与した。以下同様。）
「【請求項１】
　二次電池に充電電流を供給する充電回路と、
　前記二次電池の電圧を検出する電圧検出回路と、
　前記二次電池への充電電流を検出する電流検出回路と、
　前記二次電池への充電回数を記録するメモリと、
　前記充電回路を制御して前記二次電池に定電流充電した後に定電圧充電に切り換え、　前記定電圧充電時の電圧を前記メモリに記録された充電回数に応じて低減する制御手段とを備えた充電制御装置。」
「【０００１】本発明は、電子機器に用いられる
二次電池を充電するための充電制御装置
「【００２３】図１は大別すると、
充電制御装置の本体１と電池パック２とに分かれている。両者は本体１側の端子１ａ〜１ｆ、電池パック２側の対応する端子２ａ〜２ｆで相互に着脱可能に接続され
【００２４】
充電制御装置の本体１には交流商用電源３から電源装置４を経て本体１に所定の電圧が供給される。
【００２５】本体１において、
マイクロコントローラ５は制御手段の機能を有する。
【００２６】
充電回路６は、入力電流の流入経路に直列に介在されていて、その入力電流を制御する電界効果型トランジスタ（以下ＦＥＴ）７，
マイクロコントローラ５の充電制御信号５ａ（ＣＨＧＣＴＲＬ）の制御を受けてＦＥＴ７を制御する充電ＩＣ１１とを備える。
【００２７】電圧検出回路１２はオペアンプ１３を備え、端子１ｂから二次電池の端子電圧を検出してマイクロコントローラ５の端子５ｂ（Ａ／Ｄ）に電圧検出信号１２ａを与える。」
「【００３０】ＦＥＴ７の入力側と、コイル９の出力側から、ダイオード１９，２０を介して負荷２１に接続する。すなわち、ダイオード１９とダイオード２０を互いに逆向きに接続し、ダイオード１９，２０の共通カソード接続点を負荷２１に結合する。これによって電池パック２を充電しながら、負荷２１を作動させることができる。交流商用電源３に接続されているときはダイオード１９を介して負荷２１に電源を与える。交流商用電源３が切断されたときはダイオード２０を介して二次電池２４，２５及び二次電池２６から電源を供給する。もちろん電池パック２の充電が完了後、電池パック２を本体１から分離して、負荷２１に接続してもよい。
【００３１】電池パック２において、
端子２ａからの入力電流の流入経路にＦＥＴ２２，２３を直列に配して二次電池２４のプラス（＋）極に接続する。
【００３２】二次電池２４，２５及び二次電池２６は直列に接続されている。そしてそれぞれの
二次電池２４，２５及び二次電池２６の両端２７，２８，２９及び両端３０の電圧を検出して
規定の電圧より高くなったこと（過充電）を検出してＦＥＴ２２を制御
端子２ａから流入する入力電流を遮断する
規定の電圧より低くなったこと（過放電）を検出してＦＥＴ２３を制御して通電を遮断するための保護ＩＣ３１を備えている。
【００３３】充電ＩＣ１１に加えて、保護ＩＣ３１を設けたのは、ＦＥＴ７の故障や充電ＩＣ１１の誤動作、または電池パック２が不正規な本体に接続されることで電池が過充電状態になったときにＦＥＴ２２を制御して通電を停止して二次電池を保護するためである。
【００３４】また、電池パック２を本体１または負荷２１に接続して長期間放置するような場合、本体１または負荷２１から供給される微少な放電電流によって、二次電池２４，２５及び二次電池２６が過放電になるのを避けるためにＦＥＴ２３により放電経路を遮断して二次電池を保護する。」
「【００３７】次にその動作を説明する。
電圧検出回路１２は端子１ｂから二次電池両端の電圧を検出し、アナログ値の電圧検出信号１２ａを出力し、端子５ｂから入力されてデジタル値に変換される。
端子５ｄから入力されてデジタル値に変換される。
「【００３９】充電回路６の一部を構成する充電ＩＣ１１は、電圧検出信号１２ａ，温度検出信号１４ａ及び電流検出信号１６ａを演算したマイクロコントローラ５の充電制御信号５ａ（ＣＨＧＣＴＲＬ）に基づいてＦＥＴ７を制御して二次電池への充電電流を一定に制御する。」
「【００４１】
マイクロコントローラ５は、充電の初期には充電制御信号５ａを設定して充電ＩＣ１１に入力することにより、充電回路６からの出力電流、すなわち充電電流値を所定の一定値
に制御してＣＣ充電を行う。
【００４２】マイクロコントローラ５は
充電ＩＣ１１を介してＦＥＴ７を制御して、ＣＣ充電中に電圧検出信号１２ａと電流検出信号１６ａをモニタし、電池電圧がある一定値
に達したとき、その一定電圧値を維持しながら、
充電電流を
段階的に減少させていく（ＣＶ充電）。
【００４３】そして充電電流が所定の電流値以下になったとき、満充電状態と判断して、充電制御信号５ａにより充電ＩＣ１１を介してＦＥＴ７をオフにして充電電流をゼロにして充電を終了する。
【００４４】以上が、実施の形態１における
ＣＣ充電からＣＶ充電に移行する時点を判断する１セル当たりの特定の電圧
を固定した充電方法
　【図１】には、充電制御装置本体１の外部にある交流商用電源３に接続された電源装置４とＦＥＴ７の入力側とが接続され、ＦＥＴ７の出力側と端子１ａとの間に平滑化した入力電流を与えるコイル９とが接続され、充電制御装置１の端子１ａと電池パック２の端子２ａとが接続され、端子２ａと二次電池２４のプラス極との間に直列形態でＦＥＴ２２，２３が接続されることが示されている。
　そして、ＦＥＴ２２，２３は、二次電池２４のプラス極と電源装置４との間に直列形態に接続されたものともいえる。
　したがって、上記引用文献１には次の発明（以下、「引用発明」という。）が記載されていると認められる。
「二次電池を充電するための充電制御装置であって、
　充電制御装置は、
　充電制御装置の本体１と電池パック２とが、本体１側の端子１ａ〜１ｆ、電池パック側の対応する端子２ａ〜２ｆで相互に着脱可能に接続され、
　充電制御装置の本体１には交流用電源３から電源装置４を経て本体１に所定の電圧が供給されるものであり、
　制御手段の機能を有するマイクロコントローラ５と、
　入力電流の流入径路に直列に介在されていて、その入力電流を制御する電界効果型トランジスタ（ＦＥＴ）７と、マイクロコントローラ５の充電制御信号５ａの制御を受けてＦＥＴ７を制御する充電ＩＣ１１とを備えた充電回路６と、
　端子１ｂから二次電池両端の電圧を検出し、アナログ値の電圧検出信号１２ａを出力して、マイクロコントローラの端子５ｂへ入力する電圧検出回路１２と
を備え、
　マイクロコントローラ５は、端子５ｂから入力されたアナログ値の電圧検出信号１２ａをデジタル値に変換し、充電の初期には、充電制御信号５ａを設定して充電ＩＣ１１に入力することにより、充電回路６からの出力電流、すなわち充電電流値を所定の一定値に制御してＣＣ充電を行い、充電ＩＣ１１を介してＦＥＴ７を制御して、ＣＣ充電中に電圧検出信号１２ａをモニタし、電池電圧がある一定値に達したとき、その一定電圧を維持しながら充電電流を段階的に減少させていく（ＣＶ充電）ことで、ＣＣ充電からＣＶ充電に移行する時点を判断する１セル当たりの特定の電圧を固定した充電方法を実行するものであり、
　充電制御装置に接続される電池パック２は、
　端子２ａからの入力電流径路に直列に配され、二次電池２４のプラス極に接続されたＦＥＴ２２，ＦＥＴ２３と、
　二次電池の両端の電圧を検出して、規定の電圧より高くなったこと（過充電）を検出してＦＥＴ２２を制御して端子２ａから流入する入力電流を遮断し、二次電池両端の電圧が規定の電圧より低くなったこと（過放電）を検出してＦＥＴ２３を制御して通電を遮断するための保護ＩＣ３１と
を備え、
　充電制御装置本体１の外部にある交流商用電源３に接続された電源装置４とＦＥＴ７の入力側とが接続され、ＦＥＴ７の出力側と端子１ａとの間に平滑化した入力電流を与えるコイル９とが接続され、充電制御装置１の端子１ａと電池パック２の端子２ａとが接続され、端子２ａと二次電池２４のプラス極との間に直列形態でＦＥＴ２２，２３が接続されて、ＦＥＴ２２，２３は、二次電池２４のプラス極と電源装置４との間に直列形態に接続されている
充電制御装置。」
２．引用文献２について
　原査定の拒絶の理由に引用された引用文献２には、図面とともに次の事項が記載されている。
「【０００２】【従来の技術】図５は従来の充電制御回路の一例のブロック構成図を示す。充電制御回路１は、ＡＣアダプタ２と電池３との間に接続され、ＡＣアダプタ２で生成された電源電圧により電池３を充電する。
充電制御回路１は
充電制御ＩＣ４、保護ＩＣ５
から構成される。
【０００３】充電制御トランジスタＱ１は、エミッタ−コレクタがＡＣアダプタ２と電池３との間に接続され、充電制御ＩＣ４から供給される制御信号に応じてＡＣアダプタ２から電池３に供給する充電電流を制御する。充電制御ＩＣ４は、ＡＣアダプタ２で生成される電源電圧ＶＣＣにより駆動され、電池３の充電電圧を検出して、電池３の充電電圧に応じて充電制御トランジスタＱ１を制御する。」
「【００１３】【発明の実施の形態】図１は本発明の一実施例のブロック構成図を示す。同図中、図５と同一構成部分には同一符号を付し、その説明は省略する。本実施例の充電制御回路１００は、充電制御ＩＣ１０１及び保護ＩＣ１０２の構成が図５とは相違する。
【００１４】本実施例の保護ＩＣ１０２は、電池３の充電電圧を検出して、電池３の充電電圧に応じて放電制御ＦＥＴＱ２及び充電制御ＦＥＴＱ３を制御するとともに、充電制御ＩＣ１０１の定電流、定電圧充電を切り換える。図２は本発明の一実施例の保護ＩＣの回路構成図を示す。保護ＩＣ１０２は、過充電電圧検出回路部１１０及び出力不感応時間設定回路部１２０から構成される。」
３．引用文献３について
　原査定の拒絶の理由に引用された引用文献３には、図面とともに次の事項が記載されている。
「【背景技術】
【０００２】
リチウムイオン２次電池の充電器や電池パックには、過充電を防止し充電管理を行うための保護回路が設けられている。
【０００５】比較器１３２の出力電圧は制御回路１３１に入力される。制御回路１３１はこの入力電圧に応じてゲート電圧出力端子１３１３，１３１４への出力電圧を制御する。例えば、電池電圧ＶＢＡＴＴ＞比較電圧ＶＨＣである場合には、制御回路１３１はＭＯＳＦＥＴ１２１をオフ、ＭＯＳＦＥＴ１２２をオンとする。これによりリチウムイオン２次電池２１への充電電圧の供給が停止する。なお、この場合でもＭＯＳＦＥＴ１２１の寄生ダイオード１２１１を通じてリチウムイオン２次電池２１は放電可能である。
【０００６】図４において、電池パック２には、リチウムイオン２次電池２１の充電電圧の供給を制御する２つのＮ型のＭＯＳＦＥＴ２２１，２２２、及びリチウムイオン２次電池２１の電池電圧に応じてＭＯＳＦＥＴ２２１，２２２のオンオフを制御する保護回路用ＩＣ２３が設けられている。・・・
【０００８】比較器２３２の出力電圧は制御回路２３１に入力され、制御回路２３１はこの入力電圧に応じてゲート電圧出力端子２３１３，２３１４の出力電圧を制御する。例えば、電池電圧ＶＢＡＴＴ＞比較電圧ＶＨＢである場合には、制御回路２３１はＭＯＳＦＥＴ２２１をオフ、ＭＯＳＦＥＴ２２２をオンとする。これにより充電電圧のリチウムイオン２次電池２１への供給が停止する。なお、この場合でもＭＯＳＦＥＴ２２１の寄生ダイオード２２１１を通る経路でリチウムイオン２次電池２１は放電可能である。」
「【００１６】 図１に本発明の一実施形態として説明するリチウムイオン２次電池の充電器１、及びリチウムイオン２次電池２１を内蔵する電池パック２を含んで構成される充電システムの構成を示している。
【００１７】 充電器１には、充電時に電池パック２のプラス端子５が接続されるプラス接続端子３及び電池パック２のマイナス端子６が接続されるマイナス接続端子４が設けられている。また充電器１には、充電時に電池パック２に設けられている電圧入力端子８に接続される電圧出力端子７が、また電池パック２には、充電時に充電器１に設けられている電圧出力端子７に接続される電圧入力端子８が、夫々設けられている。なお、電圧出力端子７には、後述する基準電圧ＶＯＣ（第１の基準電圧）が出力され、電圧入力端子８を介して電池パック２に基準電圧ＶＯＣが取り込まれる。
【００１８】 充電器１は、充電電圧の供給経路に直列に接続されるＰ型の２つのＭＯＳＦＥＴ１２１，１２２、及びリチウムイオン２次電池２１の電池電圧を検出し、検出した電池電圧に応じてＭＯＳＦＥＴ１２１，１２２のオンオフを制御する保護回路用ＩＣ１３を有している。
保護回路用ＩＣ１３は、基準電圧生成回路１３４（第１の基準電圧生成回路）
を含み、
基準電圧生成回路１３４によって生成された基準電圧Ｖ
ＯＣ
が出力される基準電圧出力端子１３１５を有している。
【００１９】保護回路用ＩＣ１３に含まれる回路のうち、比較電圧生成回路１３３（第１の比較電圧生成回路）は、
基準電圧生成回路１３４から供給される基準電圧Ｖ
ＯＣ
に基づいて、比較電圧Ｖ
ＨＣ
（第１の比較電圧）を生成
【００２０】制御回路１３１は、比較器１３２から入力される比較出力電圧に応じてゲート電圧出力端子１３１３，１３１４の出力電圧を制御し、ＭＯＳＦＥＴ１２１，１２２をオンオフする。例えば、制御回路１３１は、
電池電圧Ｖ
ＢＡＴＴ
＞比較電圧Ｖ
ＨＣ
となっている場合はＭＯＳＦＥＴ１２１をオフとし、ＭＯＳＦＥＴ１２２をオンとし、この場合は充電電圧のリチウムイオン２次電池２１への供給が停止する。
【００２１】一方、図１において、電池パック２は、充電電圧の供給経路に直列に接続されるＮ型の２つのＭＯＳＦＥＴ２２１，２２２、リチウムイオン２次電池２１の電池電圧を検出し、検出した電池電圧に応じてＭＯＳＦＥＴ２２１，２２２のオンオフを制御する保護回路用ＩＣ２３を有している。
【００２２】
保護回路用ＩＣ２３は、基準電圧生成回路２３４（第２の基準電圧生成回路）、比較電圧生成回路２３３（第２の比較電圧生成回路）、比較器２３２（第２の比較器）、制御回路２３１（第２の制御回路）、及びセレクタ回路２３５を含み
充電器１の基準電圧生成回路１３４によって生成された基準電圧Ｖ
ＯＣ
が入力される基準電圧入力端子２３１５を有している。
【００２３】保護回路用ＩＣ２３に含まれる回路のうちセレクタ回路２３５は、電池パック２に充電器１が接続され、基準電圧入力端子２３１５に基準電圧ＶＯＣが入力されている場合には、比較電圧生成回路２３３に基準電圧ＶＯＣを出力する。またセレクタ回路２３５は、電池パック２に充電器１が接続されていない場合には、セレクタ回路２３５は比較電圧生成回路２３３に基準電圧生成回路２３４から供給される基準電圧ＶＯＢ（第２の基準電圧）を出力する。
【００２４】このような動作を行うセレクタ回路２３５の一例を図２に示している。同図において、トランジスタＴＲ１のゲートには、基準電圧入力端子２３１５が接続され、充電器１からの基準電圧ＶＯＣ（第１の基準電圧）が印加される。トランジスタＴＲ１のドレインには、トランジスタＴＲ３のドレインが接続している。なお、トランジスタＴＲ２及びトランジスタＴＲ３は、定電流源Ｉｓ及び電源ＶＤＤが接続されるカレントミラー回路を構成している。トランジスタＴＲ１のソースは接地されている。トランジスタＴＲ１のゲートとソースとの間には、抵抗Ｒ１が接続されている。トランスミッションゲートＴＧ１には、基準電生成回路２３４から出力される基準電圧ＶＯＢが入力され、トランスミッションゲートＴＧ２には、基準電圧ＶＯＣが入力される。
【００２５】トランスミッションゲートＴＧ１の一方の制御端子には、トランジスタＴＲ１のドレインの電圧をインバータＩＮＶ１によって反転した電圧が印加されている。またトランスミッションゲートＴＧ１の他方の制御端子には、トランジスタＴＲ１のドレインの電圧が印加されている。トランスミッションゲートＴＧ２の一方の制御端子には、トランジスタＴＲ１のドレインの電圧が印加されている。またトランスミッションゲートＴＧ２の他方の制御端子には、トランジスタＴＲ１のドレインの電位をインバータＩＮＶ１によって反転した電圧が印加されている。トランスミッションゲートＴＲ１及びトランスミッションゲートＴＲ２の出力は、比較電圧生成回路２３３に入力される。なお、トランジスタＴＲ３及びトランジスタＴＲ１としては、これらのサイズの関係がトランジスタＴＲ３＞トランジスタＴＲ１となるものが選択されている。
【００２６】今、電池パック２に充電器１が接続されており、基準電圧入力端子２３１５に基準電圧ＶＯＣが印加されているものとする。この場合、トランジスタＴＲ１がオンとなってトランジスタＴＲ１のドレインの電位が接地電位に近づくので、トランスミッションゲートＴＧ１はオフ、トランスミッションゲートＴＧ２はオンとなり、その結果、比較電圧生成回路２３３には充電器１からの基準電圧ＶＯＣが入力される。
【００２７】一方、電池パック２に充電器１が接続されていない場合には、トランジスタＴＲ１はオフとなってトランジスタＴＲ１のドレインの電位がＶＤＤに近づくのでトランスミッションゲートＴＧ１はオン、トランスミッションゲートＴＧ２はオフとなり、その結果、比較電圧生成回路２３３には電池パック２の基準電圧生成回路２３４によって生成された基準電圧ＶＯＢが入力される。
【００２８】
比較電圧生成回路２３３は、セレクタ回路２３５から入力される、基準電圧Ｖ
ＯＣ
（第１の基準電圧）又は基準電圧Ｖ
ＯＢ
に基づいて、比較電圧Ｖ
ＨＢ
を生成する。
【００２９】比較器２３２（第２の比較器）の非反転入力には、比較電圧ＶＨＢが、また反転入力には、プラス側入力端子２３１１に入力されるリチウムイオン２次電池２１の電池電圧ＶＢＡＴＴが、それぞれ印加される。比較器２３２は、比較電圧ＶＨＢと電池電圧ＶＢＡＴＴとの大小に応じた電圧を出力する。比較器２３２から出力される比較出力電圧は、制御回路２３１に入力される。
【００３０】制御回路２３１は、比較器２３２から入力される電圧に応じてゲート電圧出力端子２３１３，２３１４の出力電圧を制御して、ＭＯＳＦＥＴ２２１，２２２をオンオフする。例えば、
制御回路２３１は、電池電圧Ｖ
ＢＡＴＴ
＞比較電圧Ｖ
ＨＢ
となっている場合には、ＭＯＳＦＥＴ２２１をオフとし、ＭＯＳＦＥＴ２２２をオンとし、これにより充電電圧のリチウムイオン２次電池２１への供給が停止する。
【００３１】以上に説明したように、本実施形態の充電システムにおいては、充電時に共通の基準電圧ＶＯＣに基づいて、充電器１側の比較電圧ＶＨＣ及び電池パック２側の比較電圧ＶＨＢを生成している。このため、本実施形態の充電システムにおいては、１つの基準電圧ＶＯＣのばらつき（±５０ｍＶ）のみを考慮して比較電圧ＶＨＢ及び比較電圧ＶＨＣを設定することが可能である。」
４．引用文献４について
　原査定の拒絶の理由に引用された引用文献４には図面とともに次の事項が記載されている。
「【００１０】電池装置５１は、電池セル５２以外にも、電池セル５２を保護する電池保護回路５３と、電池装置５１の温度を検出するためのサーミスタ素子５４とを備えている。電池セル５２、電池保護回路５３及びサーミスタ素子５４は、樹脂等で形成されたケース６０内に収納されている。また電池装置５１には、プラス電源端子７２と、マイナス電源端子７３と、外部接続端子７４とがケース６０から部分的に露出して設けられている。
【００１１】電池セル５２のプラス電極はプラス電源端子７２に接続されている。サーミスタ素子５４は、電池装置５１の温度によってその抵抗値が変化する。サーミスタ素子５４の一端は外部接続端子７４に接続されており、その他端はマイナス電源端子７３に接続されている。
【００１２】
電池保護回路５３は
電制限制御判定回路５３ｂ
を備えている。
「【００１４】充電制限制御判定回路５３ｂはｎＭＯＳトランジスタ５３ｅを制御することが可能である。
充電制限制御判定回路５３ｂは、外部接続端子７４に接続されているサーミスタ素子５４
【００１５】
機器本体１は、電池セル５２を充電する充電回路２と、当該充電回路２を制御する充電制御回路３
を備え
「【００２５】機器本体１の充電器側プラス電源端子２０及び充電器側マイナス電源端子２１に、外部電源装置１０１から電源電位及びグランド電位がそれぞれ入力されると、
充電制御回路３は、抵抗素子６の外部接続端子２４側の一端の電位Ｖｔ、つまり、抵抗素子６とサーミスタ素子５４との接続点の電位に基づいて、電池装置５１の温度が、充電する際の適正範囲内にあるか否かを判定する。
５．引用文献５について
　原査定の拒絶の理由に引用された引用文献５には、図面とともに次の事項が記載されている。
「【００１１】図３に示されるように、電池パック１００’は、正極端子１０１と負極端子１０２とを持つ。正極端子１０１及び負極端子１０２は外部接続端子とも呼ばれる。正極端子１０１と負極端子１０２との間には、負荷４００または充電器５００’（後述する）が接続される。
【００１２】図示の電池パック１００’は、少なくとも１個のリチウムイオン電池（単位電池）３０１を含む二次電池３００を有する。二次電池３００はバッテリ電圧Ｖｃｃ（ｂａ）を発生している。この二次電池３００には保護回路（充電保護ＩＣ）２００が並列に接続されている。保護回路（充電保護ＩＣ）２００の主な機能は、過放電保護機能と過充電保護機能である。保護回路（充電保護ＩＣ）２００は、過放電保護機能を司る過放電制御回路２１０と、過充電保護機能を司る過充電制御回路２２０とを有する。」
「【００２０】次に、図４を参照して、充電器５００’について説明する。充電器５００’は、正極端子５０１と負極端子５０２とを持つ。充電器５００’の正極端子５０１及び負極端子５０２は、それぞれ、電池パック１００’の正極端子１０１及び負極端子１０２に接続される。
【００２１】図示の充電器５００’は、アダプタ７００を含む。このアダプタ７００は、アダプタ電圧Ｖｃｃ（ａｄ）を発生している。このアダプタ７００には充電制御回路（充電制御ＩＣ）６００が、パワートランジスタＴｒ、ダイオードＤ、および電流検出抵抗Ｒを介して、並列に接続されている。この充電制御回路（充電制御ＩＣ）６００の主な機能は、定電流充電機能、定電圧充電機能、および一次側過電圧検出機能である。充電制御回路（充電制御ＩＣ）６００は、定電流充電機能を司る定電流制御回路６１０と、定電圧充電機能を司る定電圧制御回路６２０と、一次側過電圧検出機能を司る一次側過電圧検出回路６３０とを有する。」
　
【図３】には、電池パック１００’に含まれる二次電池３００の負極の端子が電池パック１００’のグランド電位に接続されることが示されている。
　
【図４】には、充電制御回路６００が充電器５００’のグランド電位に接続されることが示されている。
第５　対比・判断
１．本願発明１について
（１）対比
　本願発明１と引用発明とを対比すると、次のことがいえる。
（ａ）引用発明の「二次電池２４，２５及び二次電池２６」は本願発明１の「二次電池」に相当し、以下同様に、「電界効果型トランジスタ（ＦＥＴ）７」は「ＦＥＴ７の出力側と端子１ａとの間に平滑化した入力電流を与えるコイル９とが接続され、充電制御装置１の端子１ａと電池パック２の端子２ａとが接続され、端子２ａと二次電池２４のプラス極」とが接続され「入力電流の流入経路に直列に介在されていて、その入力電流を制御する」ものであるので「二次電池へ充電電流を流すための充電用トランジスタ」に、「電源装置４」は「充電用電源」に、「二次電池２４のプラス（＋）極」は「二次電池の一方の端子」に、「ＦＥＴ２３」は「第１制御用スイッチ」に、「ＦＥＴ２２」は「第２制御用スイッチ」にそれぞれ相当する。
（ｂ）引用発明の電源装置４は、充電装置本体１の外部にあって、交流商用電源３から充電装置本体１へ所定の電圧を供給するものであり、電源装置４と充電装置本体１との接続点が充電装置本体１と外部との界面（以下「外部界面」という）にあたると認められるから、引用発明の「電源装置４」と「充電装置本体１」との接続点と、本願発明１の「外部端子」とは、「外部界面」であるという点で共通する。
　そして、引用発明の「二次電池２４のプラス極と電源装置４との間に直列形態に接続されている」「ＦＥＴ２２，２３」と、本願発明１の「前記二次電池の一方の端子と外部端子との間に直列形態に接続された第１制御用スイッチ素子および第２制御用スイッチ素子」とは、「二次電池の一方の端子と外部界面との間に直列形態に接続された第１制御用スイッチ素子および第２制御用スイッチ素子」である点で共通する。
（ｃ）引用発明の「マイクロコントローラ」は、「マイクロコントローラ５の充電制御信号５ａの制御を受けてＦＥＴ７を制御する充電ＩＣ１１とを備えた充電回路６」で利用されるものであって、充電ＩＣ１１を介してではあるが、ＦＥＴ７を制御するといえるものであるので、引用発明の「マイクロコントローラ」と、本願発明の「充電用電源が接続されている場合に前記充電用トランジスタが充電電流を流すように制御する充電制御回路」とは、「充電用トランジスタを制御する充電制御回路」である点で共通する。
　また、さらに、引用発明の「電圧検出信号１２ａ」は「二次電池両端の電圧を検出し」て出力され「マイクロコントローラ５」へ入力されるものであるので、引用発明の「マイクロコントローラ５は・・・充電の初期には、・・・充電電流値を所定の一定値に制御してＣＣ充電を行い、・・・ＣＣ充電中に電圧検出信号１２ａをモニタし、電池電圧がある一定値に達したとき、その一定電圧を維持」することと、本願発明の「充電制御回路は、前記二次電池側の電圧が所定値になるまでは前記充電用トランジスタにより一定の充電電流を流すように制御し、前記二次電池側の電圧が所定値に達した後は定電圧で充電電流を流すように制御を切り替える機能を有し、前記二次電池の正極側の端子電圧および負極側の端子電圧と同一の電位がそれぞれ前記充電制御回路に供給され」ることとは、「充電制御回路は、二次電池側の電圧が所定値になるまでは充電用トランジスタにより一定の充電電流を流すように制御し、前記二次電池側の電圧が所定値に達した後は定電圧で充電電流を流すように制御を切り替える機能を有し、前記二次電池の両端の電圧が充電制御回路に供給され」る点で共通する。
　さらに、引用発明の「ＣＣ充電」は「充電電流値を所定の一定値に制御」するものであり、「ＣＶ充電」は「一定電圧を維持しながら」充電電流を制御するものであるので、引用発明の「マイクロコントローラ５は、・・・ＣＣ充電中に電圧検出信号１２ａをモニタし、電池電圧がある一定値に達したとき、その一定電圧を維持しながら充電電流を段階的に減少させていく（ＣＶ充電）ことで、ＣＣ充電からＣＶ充電に移行する時点を判断する１セル当たりの特定の電圧を固定した充電方法を実行する」ことと、本願発明の「充電制御回路は、前記基準電圧生成回路により生成された基準電圧と前記二次電池の端子電圧とに基づいて定電流充電制御から定電圧充電制御への切替えタイミングの検出を行うように構成されている」ることとは、「充電制御回路は、二次電池の端子電圧に基づいて定電流充電制御から定電圧充電制御への切替えタイミングの検出を行うように構成されている」点で共通する。
（ｄ）引用発明の「保護ＩＣ３１」は「二次電池の両端の電圧を検出して、規定の電圧より高くなったこと（過充電）を検出してＦＥＴ２２を制御して端子２ａから流入する入力電流を遮断し、二次電池両端の電圧が規定の電圧より低くなったこと（過放電）を検出してＦＥＴ２３を制御して通電を遮断する」ものであるから、本願発明１の「前記二次電池が過放電状態となった場合に前記第１制御用スイッチ素子をオフさせて放電電流が流れないようにし、前記二次電池が過充電状態となった場合に前記第２制御用スイッチ素子をオフさせて充電電流が流れ込まないようにする保護回路」に相当する。
　また、引用発明の「保護ＩＣ３１」が「二次電池両端の電圧が規定の電圧より低くなったこと（過放電）を検出」することと、本願発明の「保護回路は、前記配線を介して伝達された基準電圧と前記二次電池の端子電圧とに基づいて過充電状態の検出を行」うこととは、「保護回路は、二次電池の端子電圧に基づいて過充電状態の検出を行」う点で共通する。
　したがって、本願発明１と引用発明との間には、次の一致点、相違点があるといえる。
（一致点）
「二次電池へ充電電流を流すための充電用トランジスタと、
　充電用トランジスタを制御する充電制御回路と、
　前記二次電池の一方の端子と外部界面との間に直列形態に接続された第１制御用スイッチ素子および第２制御用スイッチ素子と、
　前記二次電池が過放電状態となった場合に前記第１制御用スイッチ素子をオフさせて放電電流が流れないようにし、前記二次電池が過充電状態となった場合に前記第２制御用スイッチ素子をオフさせて充電電流が流れ込まないようにする保護回路と、
を備えた充電制御装置であって、
　前記充電制御回路は、前記二次電池側の電圧が所定値になるまでは前記充電用トランジスタにより一定の充電電流を流すように制御し、前記二次電池側の電圧が所定値に達した後は定電圧で充電電流を流すように制御を切り替える機能を有し、前記二次電池の両端の電圧が充電制御回路に供給され、
　前記保護回路は、二次電池の端子電圧に基づいて過充電状態の検出を行い、
　前記充電制御回路は、二次電池の端子電圧に基づいて定電流充電制御から定電圧充電制御への切替えタイミングの検出を行うように構成されていることを特徴とする保護機能付き充電制御装置。」
（相違点）
（相違点１）充電用トランジスタを制御する充電制御回路が、本願発明１は「充電用電源が接続されている場合に前記充電用トランジスタが充電電流を流すように制御する」ものであるのに対し、引用発明はそのような制御を行うものでない点。
（相違点２）本願発明１は「外部端子」を備えるのに対し、引用発明は充電装置の本体１の交流用電源３から所定の電圧が供給される部分に端子が備えられているか不明である点。
（相違点３）充電制御回路が、本願発明１は「前記二次電池の正極側の端子電圧および負極側の端子電圧と同一の電位がそれぞれ前記充電制御回路に供給され」る構成を備えるのに対し、引用発明は「端子１ｂから二次電池両端の電圧を検出し、アナログ値の電圧検出信号１２ａを出力して、マイクロコントローラの端子５ｂへ入力する」という構成を備えているものの、「二次電池両端の電圧」が、「前記二次電池の正極側の端子電圧および負極側の端子電圧と同一の電位」であるか否か不明である点。
（相違点４）本願発明１は「前記充電制御回路には基準電圧生成回路が設けられ、前記充電制御回路と前記保護回路との間には前記基準電圧生成回路により生成された基準電圧を、前記保護回路へ伝達する配線が設けられ」ているのに対し、引用発明はそうでない点。
（相違点５）過充電状態の検出が、本願発明１は「前記保護回路は、前記配線を介して伝達された基準電圧と前記二次電池の端子電圧とに基づいて」行うものであるのに対し、引用発明は「前記配線を介して伝達された基準電圧」を過充電状態の検出に使用するものでない点。
（相違点６）充電制御回路の定電流充電制御から定電圧充電制御への切替えタイミングの検出が、本願発明１は「前記基準電圧生成回路により生成された基準電圧と前記二次電池の端子電圧とに基づいて」なされるものであるのに対し、引用発明は「前記基準電圧生成回路により生成された基準電圧」を定電流充電制御から定電圧充電制御への切替えタイミングの検出に使用するものでない点。
（２）相違点についての判断
　事案に鑑みて、上記相違点４から検討する。
　引用文献３には、
「【００１８】・・・保護回路用ＩＣ１３は、基準電圧生成回路１３４（第１の基準電圧生成回路）・・・を含み・・・基準電圧生成回路１３４によって生成された基準電圧ＶＯＣが出力される基準電圧出力端子１３１５を有している。」
「【００１９】・・・基準電圧生成回路１３４から供給される基準電圧ＶＯＣに基づいて、比較電圧ＶＨＣ（第１の比較電圧）を生成・・・
【００２０】・・・電池電圧ＶＢＡＴＴ＞比較電圧ＶＨＣとなっている場合はＭＯＳＦＥＴ１２１をオフとし、ＭＯＳＦＥＴ１２２をオンとし、この場合は充電電圧のリチウムイオン２次電池２１への供給が停止する。」
「【００２２】保護回路用ＩＣ２３は、基準電圧生成回路２３４（第２の基準電圧生成回路）、比較電圧生成回路２３３（第２の比較電圧生成回路）、比較器２３２（第２の比較器）、制御回路２３１（第２の制御回路）、及びセレクタ回路２３５を含み、・・・充電器１の基準電圧生成回路１３４によって生成された基準電圧ＶＯＣが入力される基準電圧入力端子２３１５を有している。」
「【００２８】比較電圧生成回路２３３は、セレクタ回路２３５から入力される、基準電圧ＶＯＣ（第１の基準電圧）又は基準電圧ＶＯＢに基づいて、比較電圧ＶＨＢを生成する。・・・
【００３０】・・・制御回路２３１は、電池電圧ＶＢＡＴＴ＞比較電圧ＶＨＢとなっている場合には、ＭＯＳＦＥＴ２２１をオフとし、ＭＯＳＦＥＴ２２２をオンとし、これにより充電電圧のリチウムイオン２次電池２１への供給が停止する。」こと、すなわち、充電器の保護回路用ＩＣ１３から電池パックの保護回路用ＩＣに基準電圧を入力し、基準電圧に基づく比較電圧と電池電圧とを比較することで電池電圧が所定値以上であるかの検出を行うことが記載されているものの、当該保護回路用ＩＣ１３によってなされる「ＭＯＳＦＥＴ１２１をオフ」は、【０００２】の「過充電を防止」する為のものであって、本願発明１の「二次電池側の電圧が所定値になるまでは前記充電用トランジスタにより一定の充電電流を流すように制御し、前記二次電池側の電圧が所定値に達した後は定電圧で充電電流を流すように制御を切り替える機能を有し」た「充電制御回路」や、引用発明の「マイクロコントローラ５は、・・・充電の初期には・・・充電電流値を所定の一定値に制御してＣＣ充電を行い、・・・電池電圧がある一定値に達したとき、その一定電圧を維持しながら充電電流を段階的に減少させていく（ＣＶ充電）・・・充電方法を実行する」「充電制御装置の本体１」のものではない。
　そうすると、本願発明１の「前記充電制御回路と前記保護回路との間には前記基準電圧生成回路により生成された基準電圧を、前記保護回路へ伝達する配線が設けられ」る構成は引用文献３に記載されていないし、引用文献２，４−５にも、相違点４に係る本願発明１の構成は記載されていない。
　また、引用発明は「マイクロコントローラ５は、・・・充電の初期には・・・充電電流値を所定の一定値に制御してＣＣ充電を行い、・・・電池電圧がある一定値に達したとき、その一定電圧を維持しながら充電電流を段階的に減少させていく（ＣＶ充電）・・・充電方法を実行する」ものであって、その「ある一定値」の電圧を設定するために、引用文献３に記載の過充電を防止する為の基準電圧を発生する「基準電圧生成回路１３４」を用いる動機も存在しない。
　そして、相違点４に係る本願発明１の構成により、本願発明１は、「充電制御回路で生成した基準電圧がばらつくと、該基準電圧により決定した定電圧充電への切替え電圧と、保護回路で決定した過充電検出電圧が、目標値に対して同じ方向へずれることとなり、定電圧充電への切替え電圧の変動範囲と過充電検出電圧の変動範囲が重なるように、マージンをなくすように、検出電圧を設定したとしても、定電圧充電への切替え電圧よりも電池電圧が高くなったことを充電制御回路が検出する前に、過充電検出電圧よりも電池電圧が高くなったことを保護回路が検出することはなく、先に保護回路が、過充電検出電圧よりも電池電圧が高くなったことを検出して充電制御ＦＥＴをオフしてしまい、充電制御回路からの充電電流を二次電池へ流すことができなくなって充電が完了しない事態が発生するのを回避しつつ、定電圧充電制御時の電圧を高くすることができ、それによって見かけ上の電池容量を増加させることができる。」という格別の効果を奏する。
　したがって、上記相違点４に係る本願発明１の構成は、当業者であっても引用発明、引用文献２−５に記載された技術的事項に基づいて容易に発明できたものとは言えないから、上記相違点１−３，５−６について判断するまでもなく、本願発明１は引用発明、引用文献２−５に記載された技術的事項に基づいて当業者が容易に発明できたものとは言えない。
２．本願発明２について
（１）対比
　本願発明２と引用発明とを対比すると、次のことが言える。
　上記１において本願発明１について述べた一致点で一致する。
　上記１において本願発明１について述べた相違点１−３と同様の点（以下、「相違点１’−３’」という。）で相違し、さらに、下記の点で相違する。
（相違点７）本願発明２は「前記保護回路には基準電圧生成回路が設けられ、前記保護回路と前記充電制御回路との間には前記基準電圧生成回路により生成された基準電圧を、前記充電制御回路へ伝達する配線が設けられ」ているのに対し、引用発明はそうではない点。
（相違点８）過充電状態の検出が、本願発明２は「前記基準電圧生成回路により生成された基準電圧と前記二次電池の端子電圧とに基づいて」行うものであるのに対し、引用発明は「前記基準電圧生成回路により生成された基準電圧」を過充電状態の検出に使用するものでない点。
（相違点９）充電制御回路の定電流充電制御から定電圧充電制御への切替えタイミングの検出が、本願発明２は「前記配線を介して伝達された基準電圧と前記二次電池の端子電圧とに基づいて」なされるものであるのに対し、引用発明は「前記配線を介して伝達された基準電圧」を定電流充電制御から定電圧充電制御への切替えタイミングの検出に使用するものでない点。
（２）相違点についての判断
　事案に鑑みて、上記相違点７について先に検討する。
　引用文献３には、
「【００１８】・・・保護回路用ＩＣ１３は、基準電圧生成回路１３４（第１の基準電圧生成回路）・・・を含み・・・基準電圧生成回路１３４によって生成された基準電圧ＶＯＣが出力される基準電圧出力端子１３１５を有している。」
「【００１９】・・・基準電圧生成回路１３４から供給される基準電圧ＶＯＣに基づいて、比較電圧ＶＨＣ（第１の比較電圧）を生成・・・
【００２０】・・・電池電圧ＶＢＡＴＴ＞比較電圧ＶＨＣとなっている場合はＭＯＳＦＥＴ１２１をオフとし、ＭＯＳＦＥＴ１２２をオンとし、この場合は充電電圧のリチウムイオン２次電池２１への供給が停止する。」
「【００２２】保護回路用ＩＣ２３は、基準電圧生成回路２３４（第２の基準電圧生成回路）、比較電圧生成回路２３３（第２の比較電圧生成回路）、比較器２３２（第２の比較器）、制御回路２３１（第２の制御回路）、及びセレクタ回路２３５を含み、・・・充電器１の基準電圧生成回路１３４によって生成された基準電圧ＶＯＣが入力される基準電圧入力端子２３１５を有している。」
「【００２８】比較電圧生成回路２３３は、セレクタ回路２３５から入力される、基準電圧ＶＯＣ（第１の基準電圧）又は基準電圧ＶＯＢに基づいて、比較電圧ＶＨＢを生成する。・・・
【００３０】・・・制御回路２３１は、電池電圧ＶＢＡＴＴ＞比較電圧ＶＨＢとなっている場合には、ＭＯＳＦＥＴ２２１をオフとし、ＭＯＳＦＥＴ２２２をオンとし、これにより充電電圧のリチウムイオン２次電池２１への供給が停止する。」こと、すなわち、充電器の保護回路用ＩＣ１３から電池パックの保護回路用ＩＣ２３に基準電圧を入力し、基準電圧に基づく比較電圧と電池電圧とを比較することで電池電圧が所定値以上であるかの検出を行うことが記載されているものの、当該保護回路用ＩＣ２３によってなされる「ＭＯＳＦＥＴ２２１をオフ」は、【０００２】の「過充電を防止」する為のものであって、本願発明１の「二次電池側の電圧が所定値になるまでは前記充電用トランジスタにより一定の充電電流を流すように制御し、前記二次電池側の電圧が所定値に達した後は定電圧で充電電流を流すように制御を切り替える機能を有し」た「充電制御回路」や、引用発明の「マイクロコントローラ５は、・・・充電の初期には・・・充電電流値を所定の一定値に制御してＣＣ充電を行い、・・・電池電圧がある一定値に達したとき、その一定電圧を維持しながら充電電流を段階的に減少させていく（ＣＶ充電）・・・充電方法を実行する」「充電制御装置の本体１」のものでもない。
　そうすると、本願発明２の「前記保護回路と前記充電制御回路との間には前記基準電圧生成回路により生成された基準電圧を、前記充電制御回路へ伝達する配線が設けられ」る構成は引用文献３に記載されていないし、引用文献２，４−５にも、相違点７に係る構成は記載されていない。
　また、引用発明は「マイクロコントローラ５は、・・・充電の初期には・・・充電電流値を所定の一定値に制御してＣＣ充電を行い、・・・電池電圧がある一定値に達したとき、その一定電圧を維持しながら充電電流を段階的に減少させていく（ＣＶ充電）・・・充電方法を実行する」ものであって、その「ある一定値」の電圧を設定するために、引用文献３に記載の過充電を防止する為の基準電圧を発生する「基準電圧生成回路１３４」を用いる動機も存在しない。
　そして、相違点７に係る本願発明２の構成により、本願発明２は、「保護回路で生成した基準電圧がばらつくと、該基準電圧により決定した過充電検出電圧と、充電制御回路で決定した定電圧充電への切替え電圧が、目標値に対して同じ方向へずれることとなり、過充電検出電圧の変動範囲と定電圧充電への切替え電圧の変動範囲が重なるように、マージンをなくすように、検出電圧を設定したとしても、定電圧充電への切替え電圧よりも電池電圧が高くなったことを充電制御回路が検出する前に、過充電検出電圧よりも電池電圧が高くなったことを保護回路が検出することはなく、先に保護回路が、過充電検出電圧よりも電池電圧が高くなったことを検出して充電制御ＦＥＴをオフしてしまい、充電制御回路からの充電電流を二次電池へ流すことができなくなって充電が完了しない事態が発生するのを回避しつつ、定電圧充電制御時の電圧を高くすることができ、それによって見かけ上の電池容量を増加させることができる。」という格別の効果を奏する。
　したがって、上記相違点７に係る本願発明２の構成は、当業者であっても引用発明、引用文献２−５に記載された技術的事項に基づいて容易に発明できたものとは言えないから、上記相違点１’−３’，８−９について判断するまでもなく、本願発明２は引用発明、引用文献２−５に記載された技術的事項に基づいて当業者が容易に発明できたものとは言えない。
３．本願発明３−５について
　本願発明３−５も、本願発明１の相違点４に係る構成または本願発明２の相違点７に係る構成を備えるものであるから、本願発明１と同じ理由または本願発明２と同じ理由により、当業者であっても、引用発明、引用文献２−５に記載された技術的事項に基づいて容易に発明できたものとはいえない。
第６　むすび
　以上のとおり、本願発明１−５は、当業者が引用発明及び引用文献２−５に記載された技術的事項に基づいて容易に発明することができたものではない。
　したがって、原査定の理由によっては、本願を拒絶することはできない。
　また、他に本願を拒絶すべき理由を発見しない。
　よって、結論のとおり審決する。